(57)【要約】【課題】容易に係止が外れて、筒状のスリーブが開いて包装した物品からはなれて、取れてしまうことのないスリーブを提供する。【解決手段】一端部に設けられた一対の係止用差込片と、他の端部側に設けられた係止用差込片を差し込む1対の係止用スリットを有し、係止用差込片を係止用スリットに差し込むことにより筒状となるスリーブであって、1対の係止用差込片の間の根元に幅を広くした切り欠き部を設け、係止用差込片を係止用スリットに差し込んだときに、切り欠き部が1対の係止用スリットの間の連続部でロックされる。【選択図】図１
2014058321.tif 000002
【特許請求の範囲】
【請求項１】
一端部に設けられた一対の係止用差込片と、他の端部側に設けられた前記係止用差込片を差し込む1対の係止用スリットを有し、前記係止用差込片を前記係止用スリットに差し込むことにより筒状となるスリーブであって、
1対の前記係止用差込片の間の根元に幅を広くした切り欠き部を設け、前記係止用差込片を前記係止用スリットに差し込んだときに、前記切り欠き部が１対の前記係止用スリットの間の連続部でロックされることを特徴とするスリーブ。
【請求項２】
前記係止用スリットより前記他の端部に向けて切り込みからなる差込用切込み線を設けたことを特徴とする請求項１に記載のスリーブ。
【発明の詳細な説明】
【技術分野】
【０００１】
本発明は、スリーブに関するものである。特に詳しくは物品を筒状に包み込むスリーブに関するものである。
【背景技術】
【０００２】
物品を筒状に包み込むスリーブは、カップ容器や紙箱などの物品で古くより用いられてきた。そして、スリーブに美装性の高い印刷などの装飾を施し、全体として高級なイメージの包装容器としたものがあった。
【０００３】
特にプラスチック製などのカップ容器では、カップ容器自体に美装性の高い印刷を施すことは、容易ではないので、高級品イメージを出すために紙製のスリーブに印刷を施して用いられることがあった。
【０００４】
これらのスリーブには、筒状に成形しておいて物品を差し込むものと、物品を巻いて両端部を係止して筒状とするものがある。物品を差し込むものでは、物品が差し込みやすい形状である必要があり、また、差し込んだ物品が抜け落ちてしまう恐れもあり、カップ容器には不向きである。一方、物品を巻いて両端部を係止して筒状とするものでは、係止が外れてしまって、スリーブが取れてしまうことがあった。
【０００５】
例えば、底板と底板から対向する２つの側板が形成され、さらにこの側板の端部から蓋板がそれぞれ形成されているスリーブがある。このスリーブには、一方の蓋板には側板との連接部に切込線が形成され、切込線には、さらにその中間部に蓋板側に向けて凹欠所が形成されている。
【０００６】
また、他方の蓋体には前記切込線に挿通可能な幅の略台形々状をなす頭部と、凹欠所８に嵌合し得るくびれ状の基端部とを有する挿込片が連接され、挿込片を一方の蓋板の切込線に深く挿し込んでくびれた基端部が切込線の凹欠所に至ると基端部が凹欠所に嵌り込んで係止するスリーブがある（特許文献１）。
【０００７】
このスリーブでは、係止が必ずしも確実ではなく、強い力が加わると外れてしまう恐れがある。
【０００８】
また、別のスリーブでは、中央部に頂壁が形成され、この頂壁の両端に、それぞれ側壁が連設され、側壁の他端には、それぞれ底壁が連設されている。
【０００９】
一方の底壁の端部には間隔を隔てて１対のロック用タブが突設されており、他方の底壁には、各ロック用タブを挿入して係合せしめるための１対のロック用スリットが間隔を隔てて形成されていて、各ロック用タブ９を各ロック用スリット１０に挿入して筒状にするスリーブがある（特許文献２）。
【００１０】
このスリーブにおいても、係止が必ずしも強固ではなく、外れてしまう可能性がある。公知文献を以下に示す。
【先行技術文献】
【特許文献】
【００１１】
【特許文献１】実開平１−１３７８７１号公報
【特許文献２】実開平１−１２６９６３号公報
【発明の概要】
【発明が解決しようとする課題】
【００１２】
本発明は、上記問題を解決するものであって、容易に係止が外れて、筒状のスリーブが開いて包装した物品からはなれて、取れてしまうことのないスリーブを提供するものである。
【課題を解決するための手段】
【００１３】
本発明は係る課題に鑑みなされたものであり、請求項１の発明は、一端部に設けられた一対の係止用差込片と、他の端部側に設けられた前記係止用差込片を差し込む1対の係止用スリットを有し、前記係止用差込片を前記係止用スリットに差し込むことにより筒状となるスリーブであって、
1対の前記係止用差込片の間の根元に幅を広くした切り欠き部を設け、前記係止用差込片を前記係止用スリットに差し込んだときに、前記切り欠き部が1対の前記係止用スリットの間の連続部でロックされることを特徴とするスリーブである。
【００１４】
本発明のスリーブは、以上のような構成であって、1対の係止用差込片の間の根元に幅を広くした切り欠き部を設け、係止用差込片を係止用スリットに差し込んだときに、切り欠き部が1対の係止用スリットの間の連続部でロックされるようになっているので、容易に係止が外れて、筒状のスリーブが開いて包装した物品からはなれて、取れてしまうことがない。
【００１５】
本発明の請求項２の発明は、前記係止用スリットより前記他の端部に向けて切り込みからなる差込用切込み線を設けたことを特徴とする請求項１に記載のスリーブである。
【００１６】
本発明はさらに、係止用スリットより他の端部に向けて切り込みからなる差込用切込み線を設けているので、係止用スリットに係止用差込片を差し込むことが容易にできる。
【発明の効果】
【００１７】
本発明のスリーブは、以上のように容易に係止が外れて、筒状のスリーブが開いて包装した物品からはなれて、取れてしまうことがない。
【図面の簡単な説明】
【００１８】
【図１】本発明のスリーブの一例の展開図である。
【図２】本発明のスリーブの一例で物品を包装し、筒状に係止した状態を説明する底面図である。
【図３】本発明のスリーブの一例でカップ容器を包装した状態の示す斜視図である。
【発明を実施するための形態】
【００１９】
以下本発明を実施するための形態につき説明する。
本発明のスリーブは、紙を打ち抜き、折罫や切込みを設けたブランクからなる。また、場合によっては、プラスチックシートを用いても良い。
【００２０】
使用する紙としては、坪量２００〜５００ｇ／ｍ２のバージン紙、カード紙、カップ原紙、コートボール紙などの板紙が使用できる。また、紙にポリエチレンなどの樹脂層を積層したラミネート加工紙を用いても良い。
【００２１】
図１は、本発明のスリーブの一例の展開図である。
図で、一点鎖線は押罫による折罫、二点鎖線は、切れ込みと押罫が交互に並んだリード罫による折罫を表す。また、実線は外形線と切れ込みを表す。
【００２２】
本例のスリーブ１００は、カップ容器用のスリーブである。図１のように、中央に天面板１、その上下に折罫または切り込み線１１ａ、１１ｂを介して、側面板２ａ、２ｂが設けられ、側面板２ａ、２ｂの反対側の端部には、やはり、折罫を介して、底面板３ａ、３ｂが設けられている。
【００２３】
天面板１は、切れ込み線１１ａ、１１ｂが外側に膨らんで設けられ、カップ容器の開口部から外れてしまわないようになっている。また、くの字状の切れ込みが間隔をおいて並んだ開封誘導線１２が、切り込み線１１ｂから切断を誘導するように設けられていて、開封するときに、容易に切断できるようになっている。
【００２４】
底面板３ａには、一対の係止用スリット３１、３１が、端縁側に凸の曲線状の切れ込みで設けられ、その並んだ外側の端部は端縁側にはね上がっている。係止用スリット３１、３１の間に折罫３２が設けられ、また、この折罫３２と直線で並ぶように、係止用スリット３１、３１の外側にも折罫が設けられている。
【００２５】
また、各係止用スリット３１、３１の中央より、端部側に向けて切り込みによる差込用切込み線３３が、それぞれに３本ずつ設けられている。この切り込みによる差込用切込み線３３があることで、一対の係止用差込片３４、３４が差し込みやすくなる。本例では、差込用切込み線３３は、係止用スリット３１に対して３本ずつ設けているが、３本でなくとも良い。スリーブに使用する紙の腰によって、適宜設ける本数を調整すればよい。
【００２６】
一対の係止用差込片３４、３４は、底面板３ｂの端部に設けられている。係止用差込片３４、３４は、根元が細く、その先で外側が垂直に広がって、係止用スリット３１、３１に差し込んだときに、抜けにくくなっている。また、係止用差込片３４、３４どうしの間の根元には、係止用差込片３４、３４を細くするように広がった切り欠き部３５が設けられている。切り欠き部３５の開口部分も垂直に狭くなっている。
【００２７】
図２は、本発明のスリーブの一例で物品を包装し、筒状に係止した状態を説明する底面図である。
【００２８】
天面板１、側面板２ａ、２ｂ、底面板３ａ、３ｂの各面板間に設けられた折罫を折って、スリーブ１００を筒状になるようにして、底面板３ｂの係止用差込片３４、３４を底面板３ａの係止用スリット３１、３１に差し込んでいく。
【００２９】
折罫３２の長さ、すなわち、２つの係止用スリット３１、３１の間の連続部の長さは、２つの係止用差込片３４、３４の間の距離（もっとも狭い切り欠き部３５の開口部分）と同じになっている。そのため多少の抵抗があるが押し込んで、係止用差込片３４、３４の根元まで係止用スリット３１、３１に差し込む。このようにすると図２のように、きちんと係止される。
【００３０】
２つの係止用差込片３４、３４の間の距離を、折罫３２の長さより小さくすると、係止用スリット３１より折罫３２の部分に向けて破れてしまう。逆に大きくすると、ロックが利かず、効果がなくなる。
【００３１】
係止用差込片３４、３４の広がった垂直の部分と、切り欠き部３５の狭くなっている垂直の部分の間の寸法は、本例では５ｍｍになっているが、用いる紙の厚さによって、３から７ｍｍの寸法にすればよい。
【００３２】
これによって、係止用差込片３４、３４と係止用スリット３１、３１での係止と、切り
欠き部３５と２つの係止用スリット３１、３１の間の連続部でのロックとの、２段階で外れないようにすることが出来る。
【００３３】
図３は、本発明のスリーブの一例でカップ容器を包装した状態の示す斜視図である。
【００３４】
本例のスリーブ１００で、カップ容器２００を包装するには、天面板１の内面に、切り込み線１１ａ、１１ｂの間に入るように、カップの開口部側を合わせてセットし、折罫を折って側面板２ａ、２ｂをカップ側面に沿うように折り曲げ、更に、底面板３ａ、３ｂを内方に折って、図２のように、係止用スリット３１、３１に係止用差込片３４、３４を差し込む。このようにすることによって、図３の斜視図のように、カップ容器２００をスリーブ１００で包装することが出来る。
【００３５】
このスリーブ１００からカップ容器２００を取り出すには、切断されている切り込み線１１ｂの部分から持ち上げるように開封誘導線１２を切断すれば、スリーブ１００が開いて、容易にカップ容器２００を取り出すことができる。
【００３６】
本例のスリーブ１００は、カップ容器を包装するスリーブであるが、本発明のスリーブはこれに限ることなく、金属缶や紙箱などの包装に用いるスリーブであっても良い。
【００３７】
以上のように、本発明のスリーブは、容易に係止が外れて、筒状のスリーブが開いて包装した物品からはなれてしまうことがない。
【符号の説明】
【００３８】
１００・・・スリーブ
１・・・天面板
１１ａ、１１ｂ・・・切り込み線
１２・・・開封誘導線
２ａ、２ｂ・・・側面板
３ａ、３ｂ・・・底面板
３１、３１・・・係止用スリット
３２・・・折罫
３３・・・差込用切込み線
３４、３４・・・係止用差込片
３５・・・切り欠き部
２００・・・カップ容器
【図１】
2014058321.tif 000003
【図２】
2014058321.tif 000004
【図３】
2014058321.tif 000005